(57)【要約】【課題】小型化が可能な燃料電池モジュールおよび燃料電池装置を提供する【解決手段】  複数の燃料電池セルを配列してなるセルスタックと、セルスタックを収納する収納容器と、収納容器の内部に一部が突出するように貫通している複数の導電部品を有し、複数の導電部品は、導電性を有する本体部と、本体部に設けられたフランジ部とを有し、フランジ部を介して取付部材によって隣接して前記収納容器に取り付けられており、フランジ部の外周面同士が当接していることによって、燃料電池モジュールおよびそれを備える燃料電池装置の小型化を図ることができる。【選択図】      図４
2018055953.tif 000002
【特許請求の範囲】
【請求項１】
複数の燃料電池セルを配列してなるセルスタックと、
前記セルスタックを収納する収納容器と、
前記収納容器の内部に一部が突出するように貫通している複数の導電部品とを有し、
前記複数の導電部品は、導電性を有する本体部と、該本体部に設けられたフランジ部とを有し、該フランジ部を介して取付部材によって隣接して前記収納容器に取り付けられており、
前記フランジ部の外周面同士が当接している
ことを特徴とする燃料電池モジュール。
【請求項２】
前記複数の導電部品のうち、少なくとも一つの前記フランジ部は切り欠き部を有し、当該フランジ部に隣接する他の前記フランジ部の外周面が前記切り欠き部に嵌合されていることを特徴とする請求項１に記載の燃料電池モジュール。
【請求項３】
前記複数の導電部品は、前記フランジ部のそれぞれが切り欠き部を有し、それぞれの前記切り欠き部同士が当接していることを特徴とする請求項１に記載の燃料電池モジュール。
【請求項４】
前記取付部材は、前記複数の導電部品をそれぞれ挿入する複数の取付孔を有し、
前記複数の導電部品は、それぞれ厚さが異なるフランジ部を備え、
前記フランジ部のうち最も厚さの厚いフランジ部は、前記取付部材の押圧面に当接しており、
他の厚さの薄いフランジ部は、前記取付部材より突出する突出片に当接していることを特徴とする請求項１〜３のいずれか１項に記載の燃料電池モジュール。
【請求項５】
前記突出片は、前記取付孔からの切り起こしにより形成されていることを特徴とする請求項４に記載の燃料電池モジュール。
【請求項６】
前記複数の導電部品は、
前記セルスタックの上方に配設された着火ヒータおよび熱電対であることを特徴とする請求項１〜５のいずれか１項に記載の燃料電池モジュール。
【請求項７】
前記熱電対は、平面透視で、前記セルスタックにおける前記燃料電池セルの配列方向に沿った中心線からずれた位置に配設されていることを特徴とする請求項６に記載の燃料電池モジュール。
【請求項８】
前記着火ヒータは、先端に、発熱する発熱部を有しており、前記発熱部は、平面透視で、少なくとも1つの前記燃料電池セルに重なっていることを特徴とする請求項６または７に記載の燃料電池モジュール。
【請求項９】
前記収納容器内の前記セルスタックの上方に配設され、原燃料ガスを改質して燃料ガスを生成する改質器を備え、
前記熱電対が前記セルスタックと前記改質器との間隙に突出する突出長さは、前記着火ヒータが前記間隙に突出する突出長さよりも長いことを特徴とする請求項６〜８のいずれか１項に記載の燃料電池モジュール。
【請求項１０】
請求項１〜９のいずれか１項に記載の燃料電池モジュールと、該燃料電池モジュールを作動させるための補機と、前記燃料電池モジュールおよび前記補機を収納する外装ケースとを備えることを特徴とする燃料電池装置。
【発明の詳細な説明】
【技術分野】
【０００１】
本発明は、燃料電池モジュールおよび燃料電池装置に関する。
【背景技術】
【０００２】
近年、次世代エネルギーとして、燃料ガス（水素含有ガス）と空気（酸素含有ガス）とを用いて電力を得ることができる燃料電池セルを備えるセルスタック装置を収納容器内に収納してなる燃料電池モジュールや燃料電池モジュールを外装ケース内に収納してなる燃料電池装置が種々提案されている。
【０００３】
燃料電池モジュールに収納されるセルスタック装置は、マニホールド上に燃料電池セルを多数立設して構成したセルスタックの上方に改質器を配置してなり、改質器で改質されたガスをマニホールドから燃料電池セルに供給して発電を行うとともに、セルスタック上方の燃焼部で燃料電池セルから排出されたガスを燃焼させて改質器を加熱する。このような固体酸化物形の燃料電池モジュールは、内部が６００℃〜１０００℃程度の温度で動作する（たとえば、特許文献１参照）。
【０００４】
このような燃料電池モジュールは、燃料電池モジュールの内部の各部の温度を計測するための熱電対あるいは燃料ガスに点火するための着火ヒータなどの導電部品を備える。このような導電部品は、燃料電池モジュールの収納容器を貫通して、セルスタック上方に配置され、セルスタック上方の燃焼部の温度を計測するほか、燃料ガスを着火する目的で用いられる。
【先行技術文献】
【特許文献】
【０００５】
【特許文献１】特開２０１２−２８０９９号公報
【発明の概要】
【発明が解決しようとする課題】
【０００６】
ところで、近年、燃料電池モジュールの小型化が求められている。それに伴い、セルスタック上方に配置される複数の導電部品については、その配置間隔を狭くする必要がある。それゆえ、導電部品の固定構造についても、燃料電池モジュールの気密性を確保しつつ、配置間隔が狭い複数の導電部品を固定することが可能な固定構造が求められている。
【課題を解決するための手段】
【０００７】
本発明の実施態様の燃料電池モジュールは、複数の燃料電池セルを配列してなるセルスタックと、セルスタックを収納する収納容器と、収納容器の内部に一部が突出するように貫通している複数の導電部品を有し、複数の導電部品は、導電性を有する本体部と、本体部に設けられたフランジ部とを有し、フランジ部を介して取付部材によって隣接して前記収納容器に取り付けられており、フランジ部の外周面同士が当接していることを特徴とするものである。
【０００８】
本発明の実施態様の燃料電池装置は、上記燃料電池モジュールと、燃料電池モジュールを作動させるための補機と、燃料電池モジュールおよび補機を収納する外装ケースとを備えることを特徴とするものである。
【発明の効果】
【０００９】
本発明の一実施態様の燃料電池モジュールによれば、燃料電池モジュールの気密性を確保しつつ、燃料電池モジュールを小型化することができる。また、小型化した燃料電池モジュールを備えることにより、燃料電池装置の小型化を実現することができる。
【図面の簡単な説明】
【００１０】
【図１】本実施形態の燃料電池モジュールの一例を示す断面図である。
【図２】本実施形態の燃料電池モジュールのセルスタック装置の一例を示す模式図である。
【図３】本実施形態の燃料電池モジュールの一例を示す部分斜視図である。
【図４】本実施形態の燃料電池モジュールの一例を示す分解斜視図である。
【図５】本実施形態の燃料電池モジュールの一例を示す部分断面図である。
【図６】本実施形態の燃料電池モジュールの一例を示す部分平面図である。
【図７】本実施形態の燃料電池モジュールの一例を示す部分断面図である。
【図８】（ａ）〜（ｃ）は、複数のフランジ部の当接した状態を示す部分平面図である。
【図９】本実施形態の燃料電池モジュールの一例を示す部分上面図である。
【図１０】本実施形態の燃料電池装置の一例を示す斜視図である。
【発明を実施するための形態】
【００１１】
図１は、本実施形態の燃料電池モジュールの一例を示す断面図である。また、図２は、本実施形態の燃料電池モジュールを構成するセルスタック装置の一例を示す模式図である。以下に図１および図２を用いて、燃料電池モジュールおよびセルスタック装置について説明する。図１、図２に示すセルスタック装置１０は、内部を燃料ガスが一端から他端に流通するガス流路を有する中空平板型の柱状の燃料電池セル１１を立設させた状態で一列に配列し、配列方向に隣接する燃料電池セル１１間が導電部材を介して電気的に直列に接続されている。そして、燃料電池セル１１の下端を絶縁性接着材でマニホールド１２に固定してなる一列のセルスタック１３が配設されている。
【００１２】
セルスタック１３の配列方向の両端部には、燃料電池セル１１の発電により生じた電流を収集して外部に引き出すための、電流引き出し部を有する導電部材（図示せず）が配置されている。ここで、燃料電池セル１１としては、例えば、内部を燃料ガスが長手方向に流通するガス流路を有する中空平板状で、支持体の表面に、燃料側電極層、固体電解質層および酸素側電極層を順に設けた固体酸化物形燃料電池セルが挙げられる。燃料電池セル１１として固体酸化物形燃料電池セルを用いる場合には、燃料電池セル１１の発電温度が、６００℃〜１０００℃程度と非常に高温となる。なお、燃料電池セル１１としては、例えば円筒型、横縞型、平板型等各種の燃料電池セルが適用できる。
【００１３】
セルスタック１３の上方には、燃料電池セル１１に供給する燃料ガスを生成するための改質器１４が配置されている。マニホールド１２とセルスタック１３と改質器１４とでセルスタック装置１０が構成されている。
【００１４】
改質器１４は、原燃料供給管を介して供給される天然ガスや灯油等の原燃料を改質して燃料ガスを生成する。なお、改質器１４は、改質効率のよい改質反応である水蒸気改質を行うことができる構造とすることが好ましく、水を気化させるための気化部１４ａと、原燃料を燃料ガスに改質するための改質触媒が配置された改質部１４ｂとを備えている。水供給管１４ｃは、気化部１４ａに接続され、改質器１４に原燃料を改質するための水を供給する。水供給管１４ｃで、水と原燃料の両方を供給する構成にすることも可能である。
【００１５】
上述の改質器１４においては、水供給管１４ｃから供給された水を気化部１４ａで気化させる。さらに改質部１４ｂにおいて、天然ガスや灯油等の原燃料と気化部１４ａで発生させた水蒸気を反応させて水素を含む燃料ガスを発生させる。改質部１４ｂで発生させた燃料ガスは、燃料ガス供給管１４ｄを介してマニホールド１２に供給される。マニホールド１２に供給された燃料ガスが燃料電池セル１１に供給される。さらに、燃料電池セル１１の外側から酸素含有ガスとして空気が供給され、燃料ガス（水素含有ガス）と空気（酸素含有ガス）とを用いて、燃料電池セル１１において発電が行なわれる。
【００１６】
燃料電池モジュール１に内蔵されるセルスタック装置１０は、収納容器２０に収納されている。収納容器２０は直方体形状の箱体２１と、箱体２１の開口面を覆う蓋体２６を有している。箱体２１の天板２２と平行に、流路天板２３が設けられており、天板２２と流路天板２３の間の空間が空気流路２４となっている。収納容器２０の一部である流路天板２３は、箱体２１に溶接されて固定されている。セルスタック装置１０を収納する収納室２７の周りは断熱材２８ａ、２８ｂ、２８ｃが配置されている。
【００１７】
セルスタック装置１０の長手方向側面を覆うように酸素含有ガス導入板２５が配置されている。酸素含有ガス導入板２５は、流路天板２３と接合されている。酸素含有ガス導入板２５は、内部が中空であって、酸素含有ガス導入路２５ｂを備えている。酸素含有ガス導入路２５ｂの上端には、セルスタック１３の配列方向に延びた酸素含有ガス導入口２５ａが設けられている。酸素含有ガス導入板２５は、マニホールド１２付近まで延設されており、酸素含有ガス導入板２５の下方であって、セルスタック装置１０に臨む面に、セルスタック１３の長手方向に多数の孔が直線上に並んだ酸素含有ガス流出口２５ｃが設けられている。空気流路２４と酸素含有ガス導入路２５ｂとは酸素含有ガス導入口２５ａを介して連通している。
【００１８】
蓋体２６には、酸素含有ガスを導入するための吸気口２６ａが設けられている。酸素含有ガスは、吸気口２６ａから酸素含有ガス流路２６ｂを通って空気流路２４に流入する。さらに、酸素含有ガスは、酸素含有ガス導入口２５ａから酸素含有ガス導入路２５ｂを通って、酸素含有ガス流出口２５ｃからセルスタック装置１０が収納された収納室２７の下方に流入する。
【００１９】
収納室２７に流入した酸素含有ガスは、燃料電池セル１１の外側を通過する。上述のようにマニホールド１２に供給された燃料ガスが燃料電池セル１１に供給されることによって、燃料ガス（水素含有ガス）と空気（酸素含有ガス）とを用いて、燃料電池セル１１において発電が行なわれる。発電に使用されなかった余剰の燃料ガスは、セルスタック１３と改質器１４との間に位置する燃焼部１５において空気と合流させて燃焼させる。
【００２０】
燃焼部１５において燃料ガスの燃焼後に発生する排ガスは、収納室２７の上部に設けられた排ガス流路２７ａを通って蓋体２６に設けられた排ガス流路２６ｃを通って排気口２６ｄから排出される。
【００２１】
燃焼部１５には複数の導電部品が配設され、本実施形態では、複数の導電部品の一例として着火ヒータ１６および熱電対１７を用いて説明する。着火ヒータ１６および熱電対１７は棒状であって、セルスタック装置１０の長手方向に沿って、収納容器２０の側面から挿入され、収納容器２０の内部に一部が突出するように貫通している。着火ヒータ１６と熱電対１７とは、横並びに配置されている。
【００２２】
着火ヒータ１６は、燃料電池モジュール１の起動時において、未改質の原燃料ガスに着火するために用いられる。また、着火ヒータ１６は、燃料電池モジュール１の動作中に燃焼部１５にて燃料ガスの燃焼が停止した失火状態になった場合に、燃料ガスに点火して、燃料ガスの燃焼を再開するために用いられる。
【００２３】
熱電対１７は、燃焼部１５の温度を測定して、原燃料ガスまたは燃料ガスの燃焼状態を把握する。失火状態になると、燃焼部１５の温度が低下するので、熱電対１７によって失火状態を検知することができる。
【００２４】
このように、燃料電池モジュール１の起動時および動作時には、燃焼部１５において原燃料ガスまたは燃料ガスを燃焼させて改質器１４を加熱し、改質器１４において原燃料から燃料ガスを発生させる改質反応が行われる。
【００２５】
図３は、本実施形態の燃料電池モジュール１の一例を示す部分斜視図であり、着火ヒータ１６および熱電対１７が収納容器２０の側面２１ａから挿入されている状態を示す図である。また、図４は、本実施形態の燃料電池モジュール１の一例を示す分解斜視図である。また、図５は、本実施形態の燃料電池モジュール１の一例を示す部分断面図であり、着火ヒータ１６および熱電対１７が収納容器２０の側面２１ａから挿入されている部分の断面を示すものである。図６は、本実施形態の燃料電池モジュール１の一例を示す部分平面図である。図７は、本実施形態の燃料電池モジュール１の一例を示す部分断面図であり、図６の断面Ａ−Ａを示すものである。以下に図３〜図７を用いて、本実施形態について説明する。
【００２６】
図３および図４に示すように、着火ヒータ１６および熱電対１７が、箱体２１の側面２１ａに水平方向に並んで平行に挿通されている。着火ヒータ１６には碍子１６ａが取付けられている。碍子１６ａは円筒形状のセラミックで構成されており、円盤状のフランジ部１６ｂが設けられている。また、熱電対１７は熱電対本体が棒状の金属管１７ａ内に挿入されたものであり、金属管１７ａの周囲に、フランジ部１７ｂが設けられている。
【００２７】
箱体２１の側面２１ａには孔２１ｂ、２１ｃ、２１ｄが設けられている。孔２１ｄは、ねじ孔である。着火ヒータ１６および熱電対１７と側面２１ａとの間には気密性を保持するためのパッキン３１が介装されていてもよい。パッキン３１には、孔２１ｂ、２１ｃ、２１ｄに対応した孔３１ａ、３１ｂ、３１ｃが設けられている。フランジ部１６ｂが取り付けられた着火ヒータ１６は、孔３１ｂおよび孔２１ｃを通って収納容器２０の内部に挿通されている。フランジ部１７ｂが取り付けられた熱電対１７は、孔３１ａおよび孔２１ｂを通って収納容器２０の内部に挿通されている。
【００２８】
着火ヒータ１６と熱電対１７は、フランジ部１６ｂ、１７ｂを介して、押さえ板３２によって隣接した状態で収納容器２０に取付けられており、フランジ部１６ｂ、１７ｂの外周面同士が当接している。この構成によって、複数の導電部品の間隔を狭くすることができるので、燃料電池モジュールを小型化することができる。
【００２９】
図４に示す例のフランジ部１７ｂは、円形の平板に円弧状の切り欠き部１７ｃを設けた形状である。切り欠き部１７ｃは、着火ヒータ１６のフランジ部１６ｂの円周に沿うように円弧状に切欠いた形状であり、切り欠き部１７ｃは、隙間無くフランジ部１６ｂの外周面と嵌合する。
【００３０】
フランジ部１７ｂの切り欠き部１７ｃを嵌合させることによって、着火ヒータ１６と熱電対１７とを近接して設けることができる。さらに、切り欠き部１７ｃを設けたフランジ部１７ｂが箱体２１の側面２１ａに対向する面積が小さくなっても、フランジ部１７ｂの切り欠き部１７ｃが隣のフランジ部１６ｂと嵌合しているので、切り欠き分の面積を隣のフランジ部１６ｂの面積と共有して補うことができるため、気密性を保持するために必要なフランジ部の面積を確保して収納容器２０の気密性の低下を抑制することができる。
【００３１】
図４に示すように、取付部材である押さえ板３２には、孔３２ａ、３２ｂ、３２ｃが設けられている。２つの孔３２ｃそれぞれにねじ３３が取付けられ、ねじ３３がパッキン３１の孔３１ｃを通って箱体２１の孔２１ｄに設けられたねじ溝と螺合して押さえ板３２が側面２１ａに固定されている。押さえ板３２は、側面２１ａから離間するように凸部３２ｄが設けられており、凸部３２ｄは、側面２１ａに平行な面である押圧面３２ｅを有し、押圧面３２ｅに孔３２ａおよび孔３２ｂが設けられている。ねじ３３を締め付けると、碍子１６ａのフランジ部１６ｂが、押圧面３２ｅに押圧され、さらに、フランジ部１６ｂが、パッキン３１を押圧することによって、着火ヒータ１６が、箱体２１の側面２１ａに固定されて収納容器２０に取り付けられる。さらに、パッキン３１が弾性変形して孔２１ｃとフランジ部１６ｂとの隙間を塞ぐので、収納容器２０の気密を保つことができる。
【００３２】
さらに、図４、図５、図６に示すように、押さえ板３２の孔３２ａは長方形状であり、向かい合う一組の辺に押圧面３２ｅからパッキン３１および側面２１ａに向かって突出する突出片３２ｆが設けられている。ねじ３３を締め付けると突出片３２ｆがフランジ部１７ｂを押圧して、フランジ部１７ｂが、パッキン３１を押圧することによって、熱電対１７が箱体２１の側面２１ａに固定される。さらに、パッキン３１が弾性変形して孔２１ｂとフランジ部１７ｂとの隙間を塞ぐので、収納容器２０の気密を保つことができる。
【００３３】
つまり、取付部材である押さえ板３２は、着火ヒータ１６および熱電対１７をそれぞれ挿入する取付孔である３２ａ、３２ｂを有している。着火ヒータ１６のフランジ部１６ｂと熱電対１７のフランジ部１７ｂとの厚さは異なっている。厚さの厚いフランジ部１６ｂは、押さえ板３２の押圧面３２ｅに当接しており、厚さの薄いフランジ部１７ｂは、押さえ板３２より突出する突出片３２ｆに当接している。この構成によって、取付部材によってすべてのフランジ部を押圧できるので、箱体２１の側面２１ａに強固に固定されるとともに、収納容器の気密を保つことができる。
【００３４】
図７に示すように、突出片３２ｆは、凸部３２ｄの側面２１ａに平行な部分の一部が、ねじ３３が取り付けられる側面２１ａの方向に切り起こされて形成されている。これにより、突出片３２ｆは、簡単な構造で形成することができる。また、この突出片３２ｆは切り起こしによって形成されるためにばね性を有しており、厚さの異なるフランジ部を固定する場合でも、突出片３２ｆを撓ませることによってフランジ部を確実に押圧することができる。したがって、フランジ部の寸法管理が難しく、誤差が生じるような場合であっても、この突出片３２ｆを採用することで寸法誤差を吸収できるので、簡単な構成で確実に押圧して固定することができる。
【００３５】
図８（ａ）〜（ｃ）は、複数のフランジ部の当接した状態を示す部分平面図である。図中の二点鎖線の箇所は隣り合ったフランジ部同士で共有する部分を示す仮想線である。図８（ａ）は、本実施の形態において上記した例であり、切り欠き部を熱電対１７のフランジ部１７ｂにのみに設けた例である。図８（ｂ）は、着火ヒータ１６のフランジ１６ｂに切り欠き部を設けた例である。図８（ｃ）は、着火ヒータ１６と熱電対１７の双方のフランジ部に切り欠き部を設けて、切り欠き部同士を当接させた例である。これにより、図８（ｂ）および図８（ｃ）は、図８（ａ）と同様に、フランジ部の径を小さくすることなく複数の導電部品の間隔を狭くすることができるので、燃料電池モジュールを小型化することができる。仮想線で示すように、この欠損した切り欠き分の面積を隣のフランジ部と共有することで補うことができるので、気密性を保持するために必要なフランジの面積を確保して収納容器２０の気密性の低下を抑制することができる。
【００３６】
図９は本実施形態の一例である燃料電池モジュールの熱電対および着火ヒータの先端部付近を示す部分平面図である。燃料電池セル１１が一方向に整列されて並べられ、それぞれがインタコネクタ１８によって接続されてセルスタック１３を構成しているが、セルスタック１３と改質器１４との間隙であるセルスタック１３の上部の燃焼部１５に着火ヒータ１６と熱電対１７とが配置されている。熱電対１７は、セルスタック１３の上方から平面透視してセルスタック１３の配列方向に沿った中心線Ｌからずれた位置に配設されている。これにより、中心線Ｌ上は燃焼温度が高くなるため、熱電対１７を中心線Ｌからずれた位置に配設することで、熱電対１７の劣化を防止し、熱電対１７の耐久性を向上することで、燃料電池モジュールの信頼性を向上させることができる。
【００３７】
着火ヒータ１６の先端部は発熱部１６ｃとなっており、発熱部１６ｃは、セルスタック１３の上方から平面透視して、少なくとも１つの燃料電池セル１１に重なっている。これにより、燃料電池セル１１上部から流出するガスの流れの中に着火ヒータ１６がある状態になり、先端部の発熱部１６ｃを発熱させることによって着火することができる。
【００３８】
収納容器２０内のセルスタック１３の上方に配設され、原燃料ガスを改質して燃料ガスを生成する改質器１４を備え、熱電対１７がセルスタック１３と改質器１４との間隙に突出する突出長さは、着火ヒータ１６が間隙に突出する突出長さよりも長い。つまり、熱電対１７は、着火ヒータ１６とほぼ平行に配置されており、着火ヒータ１６よりも収納容器２０内に挿入されている長さが長い。このように、熱電対１７のセルスタック１３と改質器１４との間隙に突出する突出長さを着火ヒータ１６の突出長さよりも長くすることで、燃焼部１５において、熱電対１７、特に先端部１７ｄ近傍が燃料ガスおよび酸素含有ガスの障害物となって、燃料ガスと酸素含有ガスとが混合されて着火ヒータ１６の発熱部１６ｃに届くので着火しやすくなり、着火効率が向上する。
【００３９】
図１０は、外装ケース５０内にセルスタック装置１０を収納した燃料電池モジュール１と、燃料電池モジュール１を動作させるための補機（図示せず）とを収納した、本実施形態の一例の燃料電池装置２の構成を示す分解斜視図である。なお、図９においては一部構成を省略して示している。
【００４０】
燃料電池装置２は、支柱５１と外装板５２から構成される外装ケース５０内を仕切板５３により上下に区画し、その上側を上述の燃料電池モジュール１を収納するモジュール収納室５４とし、下側を燃料電池モジュール１を動作させるための補機を収納する補機収納室５５として構成されている。なお補機収納室５５に収納する補機を省略して示している。
【００４１】
また、仕切板５３には補機収納室５５の空気をモジュール収納室５４側に流すための空気流通口５６が設けられており、モジュール収納室５４を構成する外装板５２の一部にモジュール収納室５４内の空気を排気するための排気口５７が設けられている。
【００４２】
このような燃料電池装置２においては、小型化した燃料電池モジュール１を備えることにより、小型化を実現することができる。
【００４３】
以上、本発明について詳細に説明したが、本発明は上述の実施の形態に限定されるものではなく、本発明の要旨を逸脱しない範囲内において種々の変更、改良等が可能である。例えば、孔２１ｄは上記した実施形態ではねじ孔で、押さえ板３２は、ねじ３３で側面２１ａにねじ留めされているが、その他の例として、押さえ板３２は、ボルトとナットとで側面２１ａに固定されてもよい。
【符号の説明】
【００４４】
１      燃料電池モジュール
２      燃料電池装置
１０    セルスタック装置
１１    燃料電池セル
１２    マニホールド
１３    セルスタック
１４    改質器
１５    燃焼部
１６    着火ヒータ
１６ｂ  フランジ部
１６ｃ  発熱部
１７    熱電対
１７ｂ  フランジ部
１７ｃ  切り欠き部
２０    収納容器
３２    押さえ板
３２ａ、３２ｂ  取付孔
３２ｅ  押圧部
３２ｆ  突出片
５０    外装ケース
【図１】
2018055953.tif 000003
【図２】
2018055953.tif 000004
【図３】
2018055953.tif 000005
【図４】
2018055953.tif 000006
【図５】
2018055953.tif 000007
【図６】
2018055953.tif 000008
【図７】
2018055953.tif 000009
【図８】
2018055953.tif 000010
【図９】
2018055953.tif 000011
【図１０】
2018055953.tif 000012